(57)【要約】【課題】ケース本体内に、印鑑収納部と指紋押印用印褥体と朱肉用印褥体が配置してある印鑑等の収納ケースを提供する。【解決手段】上方を開口したケース本体１の内部に、印鑑収納部４と指紋押印用印褥体５と朱肉用印褥体６を配置し、前記開口をケース本体１の一側縁に位置する軸芯８に軸支されて回動する蓋体２により開閉自在とした印鑑等の収納ケースであって、前記ケース本体１と蓋体２の間に、前記軸芯８に回動自在に軸支され、かつ印鑑収納部４と朱肉用印褥体６を隠ぺいして指紋押印用印褥体５のみを露出させるように前記開口を覆う内蓋３を設け、蓋体２のみを開けて指紋押印用印褥体５のみを露出した態様と、蓋体２および内蓋３を開けて印鑑収納部４と指紋押印用印褥体５と朱肉用印褥体６を露出した態様のいずれかを選択可能とした。【選択図】図３
2015134440.tif 000002
【特許請求の範囲】
【請求項１】
上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設け、蓋体のみを開けて指紋押印用印褥体のみを露出した態様と、蓋体および内蓋を開けて印鑑収納部と指紋押印用印褥体と朱肉用印褥体を露出した態様のいずれかを選択可能としたことを特徴とする印鑑等の収納ケース。
【請求項２】
ケース本体の内部に、印鑑収納部と指紋押印用印褥体の収納部と朱肉用印褥体の収納部を設けた枠体を装着した請求項１に記載の印鑑等の収納ケース。
【発明の詳細な説明】
【技術分野】
【０００１】
本発明は、ケース本体内に、印鑑収納部と指紋押印用印褥体と朱肉用印褥体が配置してある印鑑等の収納ケースに関する。
【背景技術】
【０００２】
従来から、印鑑等の収納ケースとして、ケース本体の内部に印鑑収納部と朱肉用印褥体を配置し、上部の開口をケース本体の一側縁に設けた軸芯に軸支される蓋体の回動により開閉自在としたものが多く知られている（例えば、特許文献１〜３を参照）。
【０００３】
一方、例えば交通警察官等にあっては、交通規則の違反者を発見した場合、現場において違反キップを即座に作成して手渡す必要があるため、前記のような印鑑収納部と朱肉用印褥体が配置されているだけでなく、更に、違反者から指紋を採取するための指紋押印用印褥体が配置された印鑑等の収納ケースを常に携帯している。
【０００４】
しかしながら、蓋体を開くと印鑑収納部と指紋押印用印褥体と朱肉用印褥体の全てが露出するため、違反者が指紋押印用印褥体と間違えて朱肉用印褥体の上に指を載せてしまうという問題や、蓋体を開いたときに印鑑が落下してしまうという問題があった。
警察官が違反キップを作成する手順としては、必要事項を記入後に、違反者がキップに指紋を押印し、最後に警察官が印鑑を押印するため、指紋押印用印褥体のみを露出する状態と、印鑑および朱肉用印褥体を露出する状態を別々に作り出すことができる新しいタイプの収納ケースの開発が要望されていた。
【先行技術文献】
【特許文献】
【０００５】
【特許文献１】実開昭５５−１２８７５９号公報
【特許文献２】特開平８−２０７４１１号公報
【特許文献３】特許第２８４２８１５号公報
【発明の概要】
【発明が解決しようとする課題】
【０００６】
本発明は上記のような問題点を解決して、指紋押印用印褥体のみを露出した態様と、印鑑収納部と指紋押印用印褥体と朱肉用印褥体を露出した態様のいずれかを選択可能とし、指紋押印用印褥体と間違えて朱肉用印褥体の上に指を載せることや、蓋体を開いたときに印鑑が落下する現象を確実に防止することができる印鑑等の収納ケースを提供することを目的とするものである。
【課題を解決するための手段】
【０００７】
上記課題を解決するためになされた本発明の印鑑等の収納ケースは、上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設け、蓋体のみを開けて指紋押印用印褥体のみを露出した態様と、蓋体および内蓋を開けて印鑑収納部と指紋押印用印褥体と朱肉用印褥体を露出した態様のいずれかを選択可能としたことを特徴とするものである。
【０００８】
また、前記ケース本体の内部に、印鑑収納部と指紋押印用印褥体の収納部と朱肉用印褥体の収納部を設けた枠体を装着したものが好ましく、これを請求項２に係る発明とする。
【発明の効果】
【０００９】
請求項１に係る発明では、上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設けた構造としたので、蓋体のみを開けて指紋押印用印褥体のみを露出した態様と、蓋体および内蓋を開けて印鑑収納部と指紋押印用印褥体と朱肉用印褥体を露出した態様のいずれかを選択可能となり、指紋押印用印褥体と間違えて朱肉用印褥体の上に指を載せることや、蓋体を開いたときに印鑑が落下する現象を確実に防止することができる。
【００１０】
また、請求項２に係る発明では、ケース本体の内部に、印鑑収納部と指紋押印用印褥体の収納部と朱肉用印褥体の収納部を設けた枠体を装着したものとしたので、部品の成形、および組み立てが簡単になり生産コストを低減することができる。
【図面の簡単な説明】
【００１１】
【図１】本発明の実施の形態を示す斜視図である。
【図２】蓋体のみを開いた状態を示す斜視図である。
【図３】蓋体と内蓋を開いた状態を示す斜視図である。
【図４】図１におけるＡ−Ａ断面図である。
【図５】図１におけるＢ−Ｂ断面図である。
【図６】（ａ）は内蓋を示す上方向からの斜視図、（ｂ）は内蓋を示す下方向からの斜視図である。
【発明を実施するための形態】
【００１２】
以下に、図面を参照しつつ本発明の好ましい実施の形態を示す。
図１は、本発明の収納ケースの蓋体を閉じた状態を示す斜視図であり、１はケース本体、２は蓋体である。図２は、蓋体２のみを開いた状態を示す斜視図、図３は、蓋体２と後述する内蓋３を開いた状態を示す斜視図である。
【００１３】
前記ケース本体１は、上方を開口した箱状の形状であり、その内部には印鑑収納部４と指紋押印用印褥体５と朱肉用印褥体６が配置されている。また、前記ケース本体１の一側縁にはヒンジ部７ａが形成されているとともに軸芯８が挿通されており、この軸芯８に軸支される蓋体２の回動によって前記開口が開閉自在とされている。
【００１４】
なお、ケース本体１の内部に、印鑑収納部４と指紋押印用印褥体５の収納部と朱肉用印褥体６の収納部を設けた枠体９を装着した構造とすることが好ましく、この場合は複雑な形状にもかかわらず簡単に組み立てて容易に形成できるという利点がある。
【００１５】
図示のものでは、前記ヒンジ部７ａはケース本体１の一側縁に２個突設されており、一方、蓋体２の一側縁にもヒンジ部７ｂが２個突設されている。これらヒンジ部７ａとヒンジ部７ｂには軸芯８が挿通されて、蓋体２が軸芯８を中心に自在に回動するように構成されている。
なお、ケース本体１の他側縁には係止片１ａが設けられ、また、蓋体２の他側縁にも係止片２ａが設けられており、これらの係止片１ａ、２ａを係止させることで蓋体２の密閉状態を確保している。
【００１６】
前記ケース本体１と蓋体２の間には、内蓋３が設けられている。この内蓋３は、前記軸芯８に回動自在に軸支されており、ケース本体１の開口を覆った場合は印鑑収納部４と朱肉用印褥体６を隠ぺいして指紋押印用印褥体５のみを露出させるものである。
図４、図５に示すように、前記ケース本体１のヒンジ部７ａ、蓋体２のヒンジ部７ｂ、内蓋３のヒンジ部７ｃは、ケース本体１の一側縁に位置する軸芯８を中心にそれぞれ自在に回動するように構成されており、従って、蓋体２のみを開閉したり、内蓋３のみを開閉したり、あるいは蓋体２と内蓋３の両方の蓋を開閉できる構造となっている。
【００１７】
前記内蓋３には、図６に示されるように、前記指紋押印用印褥体５に対応した切欠き部３ｂが形成されており、ケース本体１の開口を覆った場合に印鑑収納部４と朱肉用印褥体６を隠ぺいして指紋押印用印褥体５のみを露出する構造となっている。
この結果、蓋体２のみを開けると指紋押印用印褥体５のみを露出した態様とすることができ、この状態から更に内蓋３を開けると、印鑑収納部４と朱肉用印褥体６を新たに露出した態様とすることができる。
なお、３ａは内蓋３を開けるための舌片である。
【００１８】
このように構成された印鑑等の収納ケースの使用方法としては、交通警察官が交通規則の違反者を発見し、その場で違反キップを作成する場合に、警察官は所定事項を記入した違反キップを作成した後、これを違反者に確認させる。次いで、違反者の指紋を採取するが、この時、収納ケースの蓋体２のみを開けて指紋押印用印褥体５のみを露出させられるので、指を指紋押印用印褥体５に着けやすく便利である。
【００１９】
次いで、警察官は違反キップに押印して作成作業は完了となる。ここで、警察官は収納ケースの内蓋３を開けて印鑑収納部４と朱肉用印褥体６を新たに露出させる。これにより、簡単に印鑑Ｓを取り出し、朱肉をつけて違反キップに押印することができる。その後は、蓋体２を閉じれば内蓋３も同時に回動して閉じられることとなる。
【００２０】
このように、本発明では上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設けたので、蓋体のみを開けて指紋押印用印褥体のみを露出した態様と、蓋体および内蓋を開けて印鑑収納部と指紋押印用印褥体と朱肉用印褥体を露出した態様のいずれかを連続的に選択することが可能となる。
この結果、警察官が違反キップをきる際に、指紋の押印作業や印鑑の押印作業について汚れ等を発生させることなく迅速かつ確実に行うことができる。また、このケースを持っていれば印鑑や朱肉を持ち忘れることもなく、現場で確実に違反キップをきることができる。更には、ケースがコンパクトであるので、持ち運びに邪魔になることがない等の種々の利点を有する。
【符号の説明】
【００２１】
１  ケース本体
２  蓋体
３  内蓋
３ａ  舌片
３ｂ  切欠き部
４  印鑑収納部
５  指紋押印用印褥体
６  朱肉用印褥体
７ａ  ヒンジ部
７ｂ  ヒンジ部
７ｃ  ヒンジ部
８  軸芯
９  枠体
Ｓ  印鑑
【図１】
2015134440.tif 000003
【図２】
2015134440.tif 000004
【図３】
2015134440.tif 000005
【図４】
2015134440.tif 000006
【図５】
2015134440.tif 000007
【図６】
2015134440.tif 000008